(57)【特許請求の範囲】
【請求項１】
光学撮像レンズセットであって、
光軸に沿って物体側から像側の方へ順に、開口絞りと、正の屈折力を有する第１のレンズ素子と、負の屈折力を有する第２のレンズ素子と、正の屈折力を有する第３のレンズ素子と、正の屈折力を有する第４のレンズ素子と、負の屈折力を有する第５のレンズ素子と、
を備え、
当該光学撮像レンズセットのうち前記第１乃至第５のレンズ素子の各々のみが屈折力を有するとともに、当該第１乃至第５のレンズ素子の各々は物体側に向いた物体側の面と像側に向いた像側の面とを有し、
前記第１のレンズ素子は、凸面をなす前記物体側の面を有し、
前記第２のレンズ素子は、周縁部近傍に凹部をなす前記物体側の面および周縁部近傍に凹部をなす前記像側の面を有し、
前記第３のレンズ素子は、周縁部近傍に凹部をなす前記物体側の面および前記光軸近傍に凸部をなす前記像側の面を有し、
前記第４のレンズ素子は、凹面をなす前記物体側の面と凸面をなす前記像側の面とを有し、
前記第５のレンズ素子は、前記光軸近傍に凸部をなす前記物体側の面と、前記光軸近傍に凹部をなすとともに周縁部近傍に凸部をなす前記像側の面とを有し、
前記第２のレンズ素子と前記第３のレンズ素子との間の前記光軸に沿った空隙を示すＧ２３と、前記第３のレンズ素子と前記第４のレンズ素子との間の前記光軸に沿った空隙を示すＧ３４と、前記第４のレンズ素子と前記第５のレンズ素子との間の前記光軸に沿った空隙を示すＧ４５とは、関係
１．８≦（Ｇ３４＋Ｇ４５）／Ｇ２３
を満たしている
ことを特徴とする光学撮像レンズセット。
【請求項２】
前記第１のレンズ素子と前記第２のレンズ素子との間の前記光軸に沿った空隙を示すＧ１２、前記Ｇ２３、前記Ｇ３４、および前記Ｇ４５に基づく、前記第１のレンズ素子から前記第５のレンズ素子までの隣接するレンズ素子間の前記光軸に沿った４つの空隙の総和を示すＧａａと、前記Ｇ３４とは、関係
２．０≦Ｇａａ／Ｇ３４
を満たしていることを特徴とする請求項１に記載の光学撮像レンズセット。
【請求項３】
前記第１のレンズ素子が有する前記光軸に沿った第１のレンズ素子厚を示すＴ１と、前記Ｇ４５とは、関係
Ｔｌ／Ｇ４５≦３．５
を満たしていることを特徴とする請求項２に記載の光学撮像レンズセット。
【請求項４】
前記第５のレンズ素子の前記像側の面から像面までの前記光軸に沿った距離を示すＢＦＬと、前記Ｇａａとは、関係
Ｇａａ／ＢＦＬ≦１．１
を満たしていることを特徴とする請求項３に記載の光学撮像レンズセット。
【請求項５】
前記Ｇ３４と、前記Ｇ４５とは、関係
Ｇ３４／Ｇ４５≦１．７
をさらに満たしていることを特徴とする請求項４に記載の光学撮像レンズセット。
【請求項６】
前記Ｔ１、前記第２のレンズ素子が有する前記光軸に沿った第２のレンズ素子厚を示すＴ２、前記第３のレンズ素子が有する前記光軸に沿った第３のレンズ素子厚を示すＴ３、前記第４のレンズ素子が有する前記光軸に沿った第４のレンズ素子厚を示すＴ４、および前記第５のレンズ素子が有する前記光軸に沿った第５のレンズ素子厚を示すＴ５に基づく、当該光学撮像レンズセットにおける全てのレンズ素子の前記光軸に沿った全厚を示すＴａｌｌと、前記ＢＦＬとは、関係
Ｔａｌｌ／ＢＦＬ≦１．７
を満たしていることを特徴とする請求項５に記載の光学撮像レンズセット。
【請求項７】
前記第５のレンズ素子が有する前記光軸に沿った第５のレンズ素子厚を示すＴ５と、前記Ｇ２３とは、関係
Ｔ５／Ｇ２３≦１．８
を満たしていることを特徴とする請求項２に記載の光学撮像レンズセット。
【請求項８】
前記第１のレンズ素子が有する前記光軸に沿った第１のレンズ素子厚を示すＴ１、前記第２のレンズ素子が有する前記光軸に沿った第２のレンズ素子厚を示すＴ２、前記第３のレンズ素子が有する前記光軸に沿った第３のレンズ素子厚を示すＴ３、前記第４のレンズ素子が有する前記光軸に沿った第４のレンズ素子厚を示すＴ４、および前記Ｔ５に基づく、当該光学撮像レンズセットにおける全てのレンズ素子の前記光軸に沿った全厚を示すＴａｌｌと、前記Ｇａａとは、関係
１．６≦Ｔａｌｌ／Ｇａａ
を満たしていることを特徴とする請求項７に記載の光学撮像レンズセット。
【請求項９】
前記Ｔ４と、前記Ｔ２とは、関係
１．８≦Ｔ４／Ｔ２
を満たしていることを特徴とする請求項８に記載の光学撮像レンズセット。
【発明の詳細な説明】
【技術分野】
【０００１】
本発明は、広くは、光学撮像レンズセットおよびその光学撮像レンズセットを備えた電子機器に関する。具体的には、本発明は、５つのレンズ素子の光学撮像レンズセットおよびその５つのレンズ素子の光学撮像レンズセットを備えた電子機器に関するものである。
【背景技術】
【０００２】
近年、携帯電話機およびデジタルカメラの普及によって、（光学撮像レンズセット、ホルダおよびセンサなどを含む）撮影モジュールの開発が進んでいる。携帯電話機およびデジタルカメラは軽薄化されてきているため、撮影モジュールの軽薄短小化の要求がますます高まっている。
電荷結合素子（ＣＣＤ：Ｃｈａｒｇｅ  Ｃｏｕｐｌｅｄ  Ｄｅｖｉｃｅ）または相補型金属酸化膜半導体（ＣＭＯＳ：Ｃｏｍｐｌｅｍｅｎｔａｒｙ  Ｍｅｔａｌ−Ｏｘｉｄｅ  Ｓｅｍｉｃｏｎｄｕｃｔｏｒ）技術が進歩するにつれて、撮影モジュールの小型化も可能であるが、これらの撮影モジュールは依然良好な撮像品質を維持する必要がある。５つのレンズ素子の光学撮像レンズセットが開発されている。
【０００３】
特許文献１、特許文献２、特許文献３および特許文献４にはそれぞれ、５つのレンズ素子の光学撮像レンズセットが開示されている。ただし、特許文献１および特許文献２において、第１のレンズ素子および第２のレンズ素子はそれぞれ、負の屈折力および正の屈折力を有する。特許文献３および特許文献４において、第１のレンズ素子および第２のレンズ素子は両方とも、負の屈折力を有する。この構成では、良好な光学性能を実現できない。その上、それら４つの特許文献では、光学撮像レンズセットの全長は１０〜１８ｍｍであり、光学撮像レンズセットのサイズとしては大きすぎて、消費者の電子製品の仕様要件を満足できない。
【０００４】
また、特許文献５、特許文献６および特許文献７にはそれぞれ、５つのレンズ素子の光学撮像レンズセットがさらに開示されている。それらの特許文献では、第１のレンズ素子および第２のレンズ素子はそれぞれ、正の屈折力および負の屈折力を有しても（より望ましい構成である）、第３のレンズ素子から第５のレンズ素子までの相対的構成では収差を改善できない上に、全長を短くできない。従って、像品質を前提に考慮すると、これらの光学撮像レンズセットには、依然効率的な短縮は不可能である。例えば、光学撮像レンズの一部は依然約６ｍｍあり、これにはさらなる改善が必要である。
【０００５】
従って、どのようにして、撮影機器の全長を低減しながらも、良好な光学性能を維持するかが、重要な研究目的である。
【先行技術文献】
【特許文献】
【０００６】
【特許文献１】米国特許第７４８０１０５号明細書
【特許文献２】米国特許第７６３９４３２号明細書
【特許文献３】米国特許第７４８６４４９号明細書
【特許文献４】米国特許第７６８４１２７号明細書
【特許文献５】米国特許第８２３３２２４号明細書
【特許文献６】米国特許第８３６３３３７号明細書
【特許文献７】米国特許第８００００３０号明細書
【発明の概要】
【発明が解決しようとする課題】
【０００７】
上記に鑑み、本発明は、軽量、低製造コスト、短縮された長さ、高解像度、高い像品質の光学撮像レンズセットを提案することが可能である。本発明の５つのレンズ素子の光学撮像レンズセットは、光軸に沿って物体側から像側へ順に、開口絞りと、第１のレンズ素子と、第２のレンズ素子と、第３のレンズ素子と、第４のレンズ素子と、第５のレンズ素子とを備える。
【０００８】
本発明は、光学撮像レンズセットを提供する。当該光学撮像レンズセットは、正の屈折力および物体側凸面を有する第１のレンズと、第２のレンズ素子であって、負の屈折力、およびその周辺部近傍に凹部を有する像側の面を持つ第２のレンズ素子と、第３のレンズ素子であって、その周辺部近傍に凹部を有する物体側の面を持つ第３のレンズ素子と、正の屈折力、物体側凹面および像側凸面を有する第４のレンズ素子と、第５のレンズ素子であって、光軸近傍に凸部を有する物体側の面、光軸近傍に凹部を有する像側の面、および、当該第５のレンズ素子周辺部近傍に凸部を有する第５のレンズ素子とを、光軸に沿って物体側から像側の方へ順に備える。
【課題を解決するための手段】
【０００９】
本発明の５つのレンズ素子の光学撮像レンズセットにおいて、光軸に沿った空隙Ｇ１２が第１のレンズ素子と第２のレンズ素子との間に配され、光軸に沿った空隙Ｇ２３が第２のレンズ素子と第３のレンズ素子との間に配され、光軸に沿った空隙Ｇ３４が第３のレンズ素子と第４のレンズ素子との間に配され、光軸に沿った空隙Ｇ４５が第４のレンズ素子と第５のレンズ素子との間に配されており、第１のレンズ素子から第５のレンズ素子までの隣接するレンズ素子間の光軸に沿った４つの空隙の総和は、Ｇａａ＝Ｇ１２＋Ｇ２３＋Ｇ３４＋Ｇ４５である。
【００１０】
本発明の５つのレンズ素子の光学撮像レンズセットにおいて、第１のレンズ素子は、光軸に沿った第１のレンズ素子厚Ｔ１を有し、第２のレンズ素子は、光軸に沿った第２のレンズ素子厚Ｔ２を有し、第３のレンズ素子は、光軸に沿った第３のレンズ素子厚Ｔ３を有し、第４のレンズ素子は、光軸に沿った第４のレンズ素子厚Ｔ４を有し、第５のレンズ素子は、光軸に沿った第５のレンズ素子厚Ｔ５を有し、光学撮像レンズセットにおける全てのレンズ素子の光軸に沿った全厚は、Ｔａｌｌ＝Ｔ１＋Ｔ２＋Ｔ３＋Ｔ４＋Ｔ５である。さらに、第５のレンズ素子の像側の面から光軸に沿った像面までの距離は、ＢＦＬ（背面焦点距離）である。
【００１１】
本発明の５つのレンズ素子の光学撮像レンズセットでは、関係１．８≦（Ｇ３４＋Ｇ４５）／Ｇ２３が満たされる。
【００１２】
本発明の５つのレンズ素子の光学撮像レンズセットでは、関係２．０≦Ｇａａ／Ｇ３４が満たされる。
【００１３】
本発明の５つのレンズ素子の光学撮像レンズセットでは、関係Ｔｌ／Ｇ４５≦３．５が満たされる。
【００１４】
本発明の５つのレンズ素子の光学撮像レンズセットでは、関係Ｇａａ／ＢＦＬ≦１．１が満たされる。
【００１５】
本発明の５つのレンズ素子の光学撮像レンズセットでは、関係Ｇ３４／Ｇ４５≦１．７が満たされる。
【００１６】
本発明の５つのレンズ素子の光学撮像レンズセットでは、関係Ｔａｌｌ／ＢＦＬ≦１．７が満たされる。
【００１７】
本発明の５つのレンズ素子の光学撮像レンズセットでは、関係Ｔ５／Ｇ２３≦１．８が満たされる。
【００１８】
本発明の５つのレンズ素子の光学撮像レンズセットでは、関係１．６≦Ｔａｌｌ／Ｇａａが満たされる。
【００１９】
本発明の５つのレンズ素子の光学撮像レンズセットでは、関係１．８≦Ｔ４／Ｔ２が満たされる。
【００２０】
本発明の５つのレンズ素子の光学撮像レンズセットでは、関係Ｇａａ／Ｇ２３≦３．８が満たされる。
【００２１】
本発明の５つのレンズ素子の光学撮像レンズセットでは、関係（Ｔａｌｌ＋Ｇａａ）／ＢＦＬ≦２．６が満たされる。
【００２２】
本発明の５つのレンズ素子の光学撮像レンズセットでは、関係Ｔ３／Ｇ４５≦２．８が満たされる。
【００２３】
本発明の５つのレンズ素子の光学撮像レンズセットでは、関係（Ｔ４＋Ｔ５）／Ｔ１≦１．９が満たされる。
【００２４】
本発明の５つのレンズ素子の光学撮像レンズセットでは、関係３．７≦Ｇａａ／Ｔ２が満たされる。
【００２５】
本発明は、上記のような光学撮像レンズセットを含む電子機器も提案する。電子機器は、ケースと、ケース内に配置された撮像モジュールとを含む。撮像モジュールは、上記のような光学撮像レンズセットと、光学撮像レンズセットを取り付けるための鏡筒と、鏡筒を取り付けるためのモジュール収容ユニットと、モジュール収容ユニットを取り付けるための基板と、基板上に、かつ、光学撮像レンズセットの像側に配置される撮像センサと、を有する。
【００２６】
本発明のこれらおよび他の目的は、種々の図表および図面に示す好ましい実施形態についての以下の詳細な説明を読むことで、当業者には明らかになるであろう。
【図面の簡単な説明】
【００２７】
【図１】本発明の光学撮像レンズセットの第１の例を示す図である。
【図２】（Ａ）は、第１の例の像面における縦球面収差を示す図である。（Ｂ）は、第１の例のサジタル方向の非点収差を示す図である。（Ｃ）は、第１の例のタンジェンシャル方向の非点収差を示す図である。（Ｄ）は、第１の例の歪曲収差を示す図である。
【図３】本発明の５つのレンズ素子の光学撮像レンズセットの第２の例を示す図である。
【図４】（Ａ）は、第２の例の像面における縦球面収差を示す図である。（Ｂ）は、第２の例のサジタル方向の非点収差を示す図である。（Ｃ）は、第２の例のタンジェンシャル方向の非点収差を示す図である。（Ｄ）は、第２の例の歪曲収差を示す図である。
【図５】本発明の５つのレンズ素子の光学撮像レンズセットの第３の例を示す図である。
【図６】（Ａ）は、第３の例の像面における縦球面収差を示す図である。（Ｂ）は、第３の例のサジタル方向の非点収差を示す図である。（Ｃ）は、第３の例のタンジェンシャル方向の非点収差を示す図である。（Ｄ）は、第３の例の歪曲収差を示す図である。
【図７】本発明の５つのレンズ素子の光学撮像レンズセットの第４の例を示す図である。
【図８】（Ａ）は、第４の例の像面における縦球面収差を示す図である。（Ｂ）は、第４の例のサジタル方向の非点収差を示す図である。（Ｃ）は、第４の例のタンジェンシャル方向の非点収差を示す図である。（Ｄ）は、第４の例の歪曲収差を示す図である。
【図９】本発明の５つのレンズ素子の光学撮像レンズセットの第５の例を示す図である。
【図１０】（Ａ）は、第５の例の像面における縦球面収差を示す図である。（Ｂ）は、第５の例のサジタル方向の非点収差を示す図である。（Ｃ）は、第５の例のタンジェンシャル方向の非点収差を示す図である。（Ｄ）は、第５の例の歪曲収差を示す図である。
【図１１】本発明の５つのレンズ素子の光学撮像レンズセットの第６の例を示す図である。
【図１２】（Ａ）は、第６の例の像面における縦球面収差を示す図である。（Ｂ）は、第６の例のサジタル方向の非点収差を示す図である。（Ｃ）は、第６の例のタンジェンシャル方向の非点収差を示す図である。（Ｄ）は、第６の例の歪曲収差を示す図である。
【図１３】本発明の５つのレンズ素子の光学撮像レンズセットの第７の例を示す図である。
【図１４】（Ａ）は、第７の例の像面における縦球面収差を示す図である。（Ｂ）は、第７の例のサジタル方向の非点収差を示す図である。（Ｃ）は、第７の例のタンジェンシャル方向の非点収差を示す図である。（Ｄ）は、第７の例の歪曲収差を示す図である。
【図１５】本発明の光学撮像レンズ素子の典型例となる形状を示す図である。
【図１６】本発明の光学撮像レンズセットを備えた携帯型電子機器の第１の好ましい例を示す図である。
【図１７】本発明の光学撮像レンズセットを備えた携帯型電子機器の第２の好ましい例を示す図である。
【図１８】光学撮像レンズセットの第１の例の光学データを示す図である。
【図１９】第１の例の非球面データを示す図である。
【図２０】光学撮像レンズセットの第２の例の光学データを示す図である。
【図２１】第２の例の非球面データを示す図である。
【図２２】光学撮像レンズセットの第３の例の光学データを示す図である。
【図２３】第３の例の非球面データを示す図である。
【図２４】光学撮像レンズセットの第４の例の光学データを示す図である。
【図２５】第４の例の非球面データを示す図である。
【図２６】光学撮像レンズセットの第５の例の光学データを示す図である。
【図２７】第５の例の非球面データを示す図である。
【図２８】光学撮像レンズセットの第６の例の光学データを示す図である。
【図２９】第６の例の非球面データを示す図である。
【図３０】光学撮像レンズセットの第７の例の光学データを示す図である。
【図３１】第７の例の非球面データを示す図である。
【図３２】上記例におけるいくつかの重要な比率を示す図である。
【発明を実施するための形態】
【００２８】
本発明について詳細に説明するに当たり、まず最初に留意されるべきことは、本発明において、類似の（必ずしも同一ではない）要素は、同一の参照符号として分類されるということである。本明細書全体において、
「ある特定のレンズ素子が、負／正の屈折力を有する」とは、そのレンズ素子の光軸近傍部分が負／正の屈折力を有することを意味する。
「ある特定のレンズ素子の物体側／像側の面が、凹／凸部を有する」とは、その領域に隣接する外側の領域と比較して、その部分が、光軸と平行な方向に、より多く窪んでいる／膨らんでいることを意味する。図１５を例にとると、光軸は「Ｉ」であり、レンズ素子は、その光軸Ｉに対して対称である。レンズ素子の物体側は、領域Ａに凸部を有し、領域Ｂに凹部を有し、領域Ｃに凸部を有する。なぜなら、領域Ａは、領域Ａに隣接する外側の領域（領域Ｂ）と比較して、光軸に平行な方向に、より膨らんでおり、領域Ｂは領域Ｃと比較して、より窪んでおり、同様に、領域Ｃは領域Ｅと比較して、より膨らんでいるからである。
「ある特定のレンズ素子の周縁部」とは、そのレンズ素子の光を通過させるための面の周縁領域、すなわち、同図における領域Ｃを指す。同図において、撮像光は、Ｌｃ（主光線）とＬｍ（周辺光線）とを含んでいる。
「光軸近傍」とは、そのレンズ素子の光を通過させるための面の光軸領域、すなわち、図１５における領域Ａを指す。さらに、レンズ素子は、当該レンズ素子を光学撮像レンズセット内に取り付けるための拡張部Ｅを備えることが可能である。理想的には、光は拡張部を通過せず、また、拡張部の実際の構造および形状は、このように限定されることなく、他の様々な変形が可能である。図１、３、５、７、９、１１および１３では、分かりやすくするため、拡張部を示していない。
【００２９】
図１に示すように、本発明の５つのレンズ素子の光学撮像レンズセット１は、（物体が配置される）物体側２から像側３へ光軸４に沿って順に、第１のレンズ素子１０と、第２のレンズ素子２０と、第３のレンズ素子３０と、第４のレンズ素子４０と、第５のレンズ素子５０と、フィルタ６０と、像面７１と、を備える。
一般的に、第１のレンズ素子１０、第２のレンズ素子２０、第３のレンズ素子３０、第４のレンズ素子４０、第５のレンズ素子５０は、透明プラスチック材料で構成することができ、それぞれ適切な屈折力を有するが、本発明はこれに限定されない。本発明の光学撮像レンズセット１では、屈折力を有するレンズ素子は５つのみである。光軸４は、光学撮像レンズセット１全体の光軸であり、各々のレンズ素子の光軸は、光学撮像レンズセット１の光軸と一致している。
【００３０】
さらに、光学撮像レンズセット１は、適切な位置に配置された開口絞り（ａｐｅ．ｓｔｏｐ）８０を備える。図１では、開口絞り８０は、第１のレンズ素子１０の前面に配置されている。物体側２に位置する物体（図示せず）によって放射または反射された光が、本発明の光学撮像レンズセット１に入射すると、それは、開口絞り８０、第１のレンズ素子１０、第２のレンズ素子２０、第３のレンズ素子３０、第４のレンズ素子４０、第５のレンズ素子５０、およびフィルタ６０を通過した後に、明瞭かつ鮮鋭な像を、像側３の像面７１に形成する。
【００３１】
本発明の実施形態において、オプションのフィルタ６０は、種々の適切な機能のフィルタであってよく、例えば、フィルタ６０は、第５のレンズ素子５０と像面７１との間に置かれる赤外線カットフィルタ（ＩＲカットフィルタ）であってよい。
【００３２】
本発明の光学撮像レンズセット１における各々のレンズ素子は、物体側２に向いた物体側の面と、像側３に向いた像側の面とを有する。また、本発明の光学撮像レンズセット１におけるそれぞれの物体側の面および像側の面は、光軸４から離れたその周縁部近傍の部分（周縁部分）と、光軸４に近い光軸近傍の部分（光軸部分）とを有する。
例えば、第１のレンズ素子１０は、第１の物体側の面１１と第１の像側の面１２とを有し、第２のレンズ素子２０は、第２の物体側の面２１と第２の像側の面２２とを有し、第３のレンズ素子３０は、第３の物体側の面３１と第３の像側の面３２とを有し、第４のレンズ素子４０は、第４の物体側の面４１と第４の像側の面４２とを有し、第５のレンズ素子５０は、第５の物体側の面５１と第５の像側の面５２とを有する。
【００３３】
さらに、本発明の光学撮像レンズセット１における各々のレンズ素子は、光軸４における中心厚を有する。例えば、第１のレンズ素子１０は、第１のレンズ素子厚Ｔ１を有し、第２のレンズ素子２０は、第２のレンズ素子厚Ｔ２を有し、第３のレンズ素子３０は、第３のレンズ素子厚Ｔ３を有し、第４のレンズ素子４０は、第４のレンズ素子厚Ｔ４を有し、第５のレンズ素子５０は、第５のレンズ素子厚Ｔ５を有する。従って、光学撮像レンズセット１における全てのレンズ素子の光軸４に沿った全厚は、Ｔａｌｌ＝Ｔ１＋Ｔ２＋Ｔ３＋Ｔ４＋Ｔ５である。
【００３４】
また、本発明の光学撮像レンズセット１において、２つの隣接するレンズ素子間には、光軸４に沿って空隙が設けられている。例えば、第１のレンズ素子１０と第２のレンズ素子２０との間に空隙Ｇ１２が配され、第２のレンズ素子２０と第３のレンズ素子３０との間に空隙Ｇ２３が配され、第３のレンズ素子３０と第４のレンズ素子４０との間に空隙Ｇ３４が配され、第４のレンズ素子４０と第５のレンズ素子５０との間に空隙Ｇ４５が配されている。従って、第１のレンズ素子１０から第５のレンズ素子５０までの隣接するレンズ素子間の光軸４に沿った４つの空隙の総和は、Ｇａａ＝Ｇ１２＋Ｇ２３＋Ｇ３４＋Ｇ４５である。さらには、第５のレンズ素子の第５の像側の面５２から光軸４に沿った像面７１までの距離は、ＢＦＬである。
【００３５】
第１の例
本発明の光学撮像レンズセット１の第１の例を示す図１を参照する。第１の例の像面７１における縦球面収差については、図２（Ａ）を参照する。サジタル方向の非点収差については、図２（Ｂ）を参照する。タンジェンシャル方向の非点収差については、図２（Ｃ）を参照し、歪曲収差については、図２（Ｄ）を参照する。各例における球面収差のＹ軸は、１．０で表す「視野」である。各例における非点収差および歪曲収差のＹ軸は、「像高」を表す。像高は、３．０ｍｍである。
【００３６】
第１の例の光学撮像レンズセット１は、５つのレンズ素子１０〜５０を備え、それぞれはプラスチック材料で構成されており、屈折力を有する。光学撮像レンズセット１は、さらに、開口絞り８０と、フィルタ６０と、像面７１とを備える。開口絞り８０は、第１のレンズ素子１０と物体側２との間に設けられる。フィルタ６０は、不可避の赤外光が像面に達して撮像品質に悪影響を及ぼすことを防ぐための赤外線フィルタ（ＩＲカットフィルタ）であってよい。
【００３７】
第１のレンズ素子１０は、正の屈折力を有する。物体側２に向いた第１の物体側の面１１は凸面であり、像側３に向いた第１の像側の面１２も、凸面である。第１のレンズ素子１０の第１の物体側の面１１と第１の像側の面１２は、両方とも非球面である。
【００３８】
第２のレンズ素子２０は、負の屈折力を有する。物体側２に向いた第２の物体側の面２１は、凹面である。像側３に向いた第２の像側の面２２は、凹面であり、その周縁部近傍に凹部２７を有する。第２のレンズ素子２０の第２の物体側の面２１と第２の像側の面２２は、両方とも非球面である。
【００３９】
第３のレンズ素子３０は、正の屈折力と、物体側２に向いた第３の物体側の面３１と、像側３に向いた第３の像側の面３２とを有する。第３の物体側の面３１は凹面であり、その周縁部近傍に凹部３４を有する。第３の像側の面３２は凸面である。第３のレンズ素子３０の第３の物体側の面３１および第３の像側の面３２は、両方とも非球面である。
【００４０】
第４のレンズ素子４０は、正の屈折力を有する。物体側２に向いた第４の物体側の面４１は凹面であり、像側３に向いた第４の像側の面４２は凸面である。第４のレンズ素子４０の第４の物体側の面４１および第４の像側の面４２は、両方とも非球面である。
【００４１】
第５のレンズ素子５０は、負の屈折力と、物体側２に向いた第５の物体側の面５１と、像側３に向いた第５の像側の面５２とを有する。第５の物体側の面５１は、光軸近傍に凸部５３を有するとともに、その周縁部近傍に凹部５４を有する。第５の像側の面５２は、光軸近傍に凹部５６を有するとともに、その周縁部近傍に凸部５７を有する。また、第５のレンズ素子５０の第５の物体側の面５１と第５の像側の面５２は、両方とも非球面である。
フィルタ６０は、赤外線カットフィルタであってよく、第５のレンズ素子５０と像面７１との間に配置される。
【００４２】
本発明の光学撮像レンズセット１において、物体側の面１１／２１／３１／４１／５１および像側の面１２／２２／３２／４２／５２は、全て非球面である。これらの非球面係数は、以下の式によって定義される。
0005926356.tif 000002
ここで、
Ｒは、レンズ素子面の曲率半径を表す。
Ｚは、非球面の深さ（光軸から距離Ｙにある非球面上の点と、非球面の光軸上の頂点における接平面との間の垂直距離）を表す。
Ｙは、非球面上の点から光軸までの垂直距離を表す。
Ｋは、円錐定数である。
ａ２ｉは、２ｉ次の非球面係数である。
【００４３】
光学撮像レンズセット１の第１の例の光学データを図１８に示しており、非球面データを図１９に示している。光学撮像レンズセットの本例では、光学レンズ素子系全体のＦナンバーはＦｎｏであり、ＨＦＯＶは、光学レンズ素子系全体の視野の半分である半視野を表し、また、曲率半径、厚さ、および焦点距離の単位は、ミリメートル（ｍｍ）である。光学撮像レンズセットの有効焦点距離は、ＥＦＬである。光学撮像レンズセットの長さ（第１のレンズ素子１０の第１の物体側の面１１から像面７１までの距離）は、４．５４４ｍｍである。像高は、３．０ｍｍである。第１の例のいくつかの重要な比率は、以下の通りである。
（Ｇ３４＋Ｇ４５）／Ｇ２３＝１．８０４
Ｇａａ／Ｇ３４＝２．７５４
Ｔ１／Ｇ４５＝３．３９４
Ｔ５／Ｇ２３＝１．７９６
Ｇａａ／ＢＦＬ＝０．５９１
Ｇ３４／Ｇ４５＝１．６０８
Ｔａｌｌ／ＢＦＬ＝１．５４６
Ｔａｌｌ／Ｇａａ＝２．６１７
Ｔ４／Ｔ２＝２．２６３
Ｇａａ／Ｇ２３＝３．０６３
（Ｔａｌｌ＋Ｇａａ）／ＢＦＬ＝２．１３６
Ｔ３／Ｇ４５＝２．０５８
（Ｔ４＋Ｔ５）／Ｔ１＝１．４８９
Ｇａａ／Ｔ２＝４．０８１
【００４４】
第２の例
本発明の光学撮像レンズセット１の第２の例を示す図３を参照する。第２の例の像面７１における縦球面収差については、図４（Ａ）を参照する。サジタル方向の非点収差については、図４（Ｂ）を参照する。タンジェンシャル方向の非点収差については、図４（Ｃ）を参照し、歪曲収差については、図４（Ｄ）を参照する。
第２の例における部品は、第１の例における部品と類似しているが、この例における、曲率半径、屈折力、レンズ厚、レンズ焦点距離、非球面、または背面焦点距離などの光学データは、第１の例における光学データと異なる。光学撮像レンズセットの第２の例の光学データを図２０に示しており、非球面データを図２１に示している。光学撮像レンズセットの長さは、４．３８８ｍｍである。像高は、３．０ｍｍである。第２の例のいくつかの重要な比率は、以下の通りである。
（Ｇ３４＋Ｇ４５）／Ｇ２３＝２．０５６
Ｇａａ／Ｇ３４＝３．２１１
Ｔ１／Ｇ４５＝２．０３１
Ｔ５／Ｇ２３＝１．７４６
Ｇａａ／ＢＦＬ＝０．６５１
Ｇ３４／Ｇ４５＝１．０２０
Ｔａｌｌ／ＢＦＬ＝１．５４８
Ｔａｌｌ／Ｇａａ＝２．３８０
Ｔ４／Ｔ２＝２．２９６
Ｇａａ／Ｇ２３＝３．３３４
（Ｔａｌｌ＋Ｇａａ）／ＢＦＬ＝２．１９９
Ｔ３／Ｇ４５＝１．４９８
（Ｔ４＋Ｔ５）／Ｔ１＝１．７２０
Ｇａａ／Ｔ２＝４．２３３
【００４５】
第３の例
本発明の光学撮像レンズセット１の第３の例を示す図５を参照する。第３の例の像面７１における縦球面収差については、図６（Ａ）を参照する。サジタル方向の非点収差については、図６（Ｂ）を参照する。タンジェンシャル方向の非点収差については、図６（Ｃ）を参照し、歪曲収差については、図６（Ｄ）を参照する。
第３の例における部品は、第１の例における部品と類似しているが、この例における、曲率半径、屈折力、レンズ厚、レンズ焦点距離、非球面、または背面焦点距離などの光学データは、第１の例における光学データと異なっており、この実施形態において、第３のレンズ素子３０の第３の像側の面３２は、光軸近傍に凸部３６、および、その周縁部近傍に凹部３７を有し、第５のレンズ素子５０の第５の物体側の面５１は、光軸近傍に凸部５３、その周縁部近傍に凸部５４’、および、光軸と周縁部との間に凹部５５を有する。光学撮像レンズセットの第３の例の光学データを図２２に示しており、非球面データを図２３に示している。光学撮像レンズセットの長さは、４．４２９ｍｍである。像高は、３．０ｍｍである。第３の例のいくつかの重要な比率は、以下の通りである。
（Ｇ３４＋Ｇ４５）／Ｇ２３＝２．１４５
Ｇａａ／Ｇ３４＝３．４６９
Ｔ１／Ｇ４５＝１．５８７
Ｔ５／Ｇ２３＝１．３６３
Ｇａａ／ＢＦＬ＝０．７３９
Ｇ３４／Ｇ４５＝０．８３９
Ｔａｌｌ／ＢＦＬ＝１．５４５
Ｔａｌｌ／Ｇａａ＝２．０９０
Ｔ４／Ｔ２＝２．０６５
Ｇａａ／Ｇ２３＝３．３９４
（Ｔａｌｌ＋Ｇａａ）／ＢＦＬ＝２．２８５
Ｔ３／Ｇ４５＝１．２００
（Ｔ４＋Ｔ５）／Ｔ１＝１．６３７
Ｇａａ／Ｔ２＝４．２００
【００４６】
第４の例
本発明の光学撮像レンズセット１の第４の例を示す図７を参照する。第４の例の像面７１における縦球面収差については、図８（Ａ）を参照する。サジタル方向の非点収差については、図８（Ｂ）を参照する。タンジェンシャル方向の非点収差については、図８（Ｃ）を参照し、歪曲収差については、図８（Ｄ）を参照する。
第４の例における部品は、第１の例における部品と類似しているが、この例における、曲率半径、屈折力、レンズ厚、レンズ焦点距離、非球面、または背面焦点距離などの光学データは、第１の例における光学データと異なる。光学撮像レンズセットの第４の例の光学データを図２４に示しており、非球面データを図２５に示している。光学撮像レンズセットの長さは、４．４１２ｍｍである。像高は、３．０ｍｍである。第４の例のいくつかの重要な比率は、以下の通りである。
（Ｇ３４＋Ｇ４５）／Ｇ２３＝２．０６７
Ｇａａ／Ｇ３４＝３．３２９
Ｔ１／Ｇ４５＝１．７３６
Ｔ５／Ｇ２３＝１．４８６
Ｇａａ／ＢＦＬ＝０．７１１
Ｇ３４／Ｇ４５＝０．９２１
Ｔａｌｌ／ＢＦＬ＝１．５６１
Ｔａｌｌ／Ｇａａ＝２．１９４
Ｔ４／Ｔ２＝２．２１２
Ｇａａ／Ｇ２３＝３．２９８
（Ｔａｌｌ＋Ｇａａ）／ＢＦＬ＝２．２７２
Ｔ３／Ｇ４５＝１．３２１
（Ｔ４＋Ｔ５）／Ｔ１＝１．７０３
Ｇａａ／Ｔ２＝４．３０２
【００４７】
第５の例
本発明の光学撮像レンズセット１の第５の例を示す図９を参照する。第５の例の像面７１における縦球面収差については、図１０（Ａ）を参照する。サジタル方向の非点収差については、図１０（Ｂ）を参照する。タンジェンシャル方向の非点収差については、図１０（Ｃ）を参照し、歪曲収差については、図１０（Ｄ）を参照する。
第５の例における部品は、第１の例における部品と類似しているが、この例における、曲率半径、屈折力、レンズ厚、レンズ焦点距離、非球面、または背面焦点距離などの光学データは、第１の例における光学データと異なっており、この実施形態において、第２のレンズ素子２０の第２の物体側の面２１は、光軸近傍に凹部２３、その周縁部近傍に凹部２４、および、光軸と周縁部との間に凸部２５を有し、第３のレンズ素子３０の第３の物体側の面３１は、光軸近傍に凸部３３、および、その周縁部近傍に凹部３４を有する。光学撮像レンズセットの第５の例の光学データを図２６に示しており、非球面データを図２７に示している。光学撮像レンズセットの長さは、４．３６１ｍｍである。像高は、２．９３４ｍｍである。第５の例のいくつかの重要な比率は、以下の通りである。
（Ｇ３４＋Ｇ４５）／Ｇ２３＝３．３２６
Ｇａａ／Ｇ３４＝２．１０７
Ｔ１／Ｇ４５＝１．８９３
Ｔ５／Ｇ２３＝２．４４２
Ｇａａ／ＢＦＬ＝０．９９８
Ｇ３４／Ｇ４５＝１．９４５
Ｔａｌｌ／ＢＦＬ＝１．８８３
Ｔａｌｌ／Ｇａａ＝１．８８７
Ｔ４／Ｔ２＝３．１９４
Ｇａａ／Ｇ２３＝４．６２９
（Ｔａｌｌ＋Ｇａａ）／ＢＦＬ＝２．８８１
Ｔ３／Ｇ４５＝１．２８０
（Ｔ４＋Ｔ５）／Ｔ１＝２．１０９
Ｇａａ／Ｔ２＝７．１５９
【００４８】
第６の例
本発明の光学撮像レンズセット１の第６の例を示す図１１を参照する。第６の例の像面７１における縦球面収差については、図１２（Ａ）を参照する。サジタル方向の非点収差については、図１２（Ｂ）を参照する。タンジェンシャル方向の非点収差については、図１２（Ｃ）を参照し、歪曲収差については、図１２（Ｄ）を参照する。
第６の例における部品は、第１の例における部品と類似しているが、この例における、曲率半径、屈折力、レンズ厚、レンズ焦点距離、非球面、または背面焦点距離などの光学データは、第１の例における光学データと異なっており、この実施形態において、第２のレンズ素子２０の第２の物体側の面２１は、光軸近傍に凹部２３、その周縁部近傍に凹部２４、および、光軸と周縁部との間に凸部２５を有し、第５のレンズ素子５０の第５の物体側の面５１は、光軸近傍に凸部５３、その周縁部近傍に凸部５４’、および、光軸と周縁部との間に凹部５５を有する。光学撮像レンズセットの第６の例の光学データを図２８に示しており、非球面データを図２９に示している。光学撮像レンズセットの長さは、４．３６２ｍｍである。像高は、２．９３４ｍｍである。第６の例のいくつかの重要な比率は、以下の通りである。
（Ｇ３４＋Ｇ４５）／Ｇ２３＝２．４１８
Ｇａａ／Ｇ３４＝２．７３８
Ｔ１／Ｇ４５＝１．４１１
Ｔ５／Ｇ２３＝１．３０３
Ｇａａ／ＢＦＬ＝０．９８４
Ｇ３４／Ｇ４５＝１．１６１
Ｔａｌｌ／ＢＦＬ＝１．５９８
Ｔａｌｌ／Ｇａａ＝１．６２４
Ｔ４／Ｔ２＝２．３７４
Ｇａａ／Ｇ２３＝３．５５７
（Ｔａｌｌ＋Ｇａａ）／ＢＦＬ＝２．５８１
Ｔ３／Ｇ４５＝０．７２３
（Ｔ４＋Ｔ５）／Ｔ１＝１．７５６
Ｇａａ／Ｔ２＝５．７４９
【００４９】
第７の例
本発明の光学撮像レンズセット１の第７の例を示す図１３を参照する。第７の例の像面７１における縦球面収差については、図１４（Ａ）を参照する。サジタル方向の非点収差については、図１４（Ｂ）を参照する。タンジェンシャル方向の非点収差については、図１４（Ｃ）を参照し、歪曲収差については、図１４（Ｄ）を参照する。
第７の例における部品は、第１の例における部品と類似しているが、この例における、曲率半径、屈折力、レンズ厚、レンズ焦点距離、非球面、または背面焦点距離などの光学データは、第１の例における光学データと異なっている。光学撮像レンズセットの第７の例の光学データを図３０に示しており、非球面データを図３１に示している。光学撮像レンズセットの長さは、４．４０３ｍｍである。像高は、３．０ｍｍである。第７の例のいくつかの重要な比率は、以下の通りである。
（Ｇ３４＋Ｇ４５）／Ｇ２３＝１．８０１
Ｇａａ／Ｇ３４＝２．６５９
Ｔ１／Ｇ４５＝３．２５３
Ｔ５／Ｇ２３＝１．７９６
Ｇａａ／ＢＦＬ＝０．５８０
Ｇ３４／Ｇ４５＝１．７９６
Ｔａｌｌ／ＢＦＬ＝１．５１０
Ｔａｌｌ／Ｇａａ＝２．６０３
Ｔ４／Ｔ２＝２．１２９
Ｇａａ／Ｇ２３＝３．０７６
（Ｔａｌｌ＋Ｇａａ）／ＢＦＬ＝２．０９０
Ｔ３／Ｇ４５＝２．５９７
（Ｔ４＋Ｔ５）／Ｔ１＝１．６４９
Ｇａａ／Ｔ２＝３．９４３
【００５０】
各例のいくつかの重要な比率を、図３２に示している。本出願人は、上記の各実施形態の有効性を以下のように要約した。
１．第１のレンズ素子は、光学撮像レンズセットにとって必要とされる屈折力を与えるための正の屈折力を有する。第２のレンズ素子は、収差を補正するための負の屈折力を有し、第４のレンズ素子は、光学撮像レンズセットにとって必要とされる屈折力をさらに与えるための正の屈折力を有し、製造プロセスにおける難点を簡易にする。さらに、開口部を第１のレンズ素子の前に配置し、その構成は、集光、および、光学撮像レンズセットの全長の縮小に有用である。
２．第１の像側の面は凸面であり、撮像光を集光するのに有用である。第２の像側の面は、その周辺近傍に凹部を有する。第３の物体側の面は、その周縁部近傍に凹部を有する。第４の物体側の面は凹面を有する。第４の像側の面は凸面である。第５の像側の面は、光軸近傍に凹部、および、その周縁部近傍に凸部を有する。これらのレンズ素子は互いに適合して像品質を確実なものにする。
【００５１】
要約すれば、本発明は、設計されたレンズ素子を互いに適合させることによって、優れた像品質を実現可能である。
【００５２】
さらに、本発明者らは、上記の種々の重要な比率による様々なデータについて、いくつかの、より望ましい比率の範囲があることを発見している。より望ましい比率範囲は、設計者が、より良好な光学性能で、かつ長さが効果的に縮小された、実際に可能な光学撮像レンズセットを設計する際の助けとなる。例えば、
（１）（Ｇ３４＋Ｇ４５）／Ｇ２３≧１．８
式中、Ｇ２３、Ｇ３４、Ｇ４５は、第２のレンズ素子から第５のレンズ素子までの隣接するレンズ素子間の光軸に沿った空隙である。第２の像側の面および第３の物体側の面が両方とも凹面であるため、Ｇ２３が大きすぎて光学撮像レンズセットを小型化できないことがないように、Ｇ２３をより大きくすべきであり、Ｇ２３を小さく設計すべきである。
一方、Ｇ３４およびＧ４５は大きいのが好ましく、Ｇ２３は小さいのが好ましい場合、Ｇ３４およびＧ４５をわずかに大きくすることができる。従って、（Ｇ３４＋Ｇ４５）／Ｇ２３は１．８以上であるのが好ましいが、理想的には、その範囲は１．８〜４．０であってよいことを提案する。
（２）Ｇａａ／Ｇ３４≧２．０
Ｇａａは、第１のレンズ素子から第５のレンズ素子までの隣接するレンズ素子間の光軸に沿った４つの空隙の総和である。上記のように、Ｇ３４は大きいのが好ましいが、光学撮像レンズセットの全長に影響を及ぼすほど大きくすべきではなく、そのため、Ｇａａ／Ｇ３４は２．０以上であるのが好ましいが、理想的には、その範囲は２．０〜４．０であってよいことを提案する。
（３）Ｇａａ／ＢＦＬ≦１．１；Ｔａｌｌ／Ｇａａ≧１．６；Ｇａａ／Ｇ２３≦３．８；（Ｔａｌｌ／Ｇａａ）／ＢＦＬ≦２．６
上記のように、Ｇ３４およびＧ４５は大きいのが好ましいが、光学撮像レンズセットの全長に影響を及ぼすほど大きくすべきではなく、そのため、Ｇａａは特定値より低くなるよう制限されるべきであり、従って、Ｔａｌｌ／Ｇａａも特定値より大きくすべきである。例えば、Ｇａａ／ＢＦＬを１．１以下とすべきであり、理想的には、その範囲は０．４〜１．１であってよいことを提案し、Ｔａｌｌ／Ｇａａを１．６以上とすべきであり、理想的には、その範囲は１．６〜３．０であってよいことを提案し、Ｇａａ／Ｇ２３を３．８以下とすべきであり、理想的には、その範囲は２．８〜３．８であってよいことを提案し、（Ｔａｌｌ／Ｇａａ）／ＢＦＬを２．６以下とすべきであり、理想的には、その範囲は１．５〜２．６であってよいことを提案する。
（４）Ｔ１／Ｇ４５≦３．５；Ｇ３４／Ｇ４５≦１．８；Ｔ３／Ｇ４５≦２．８
上記のように、Ｇ４５は大きいのが好ましく、さらには、Ｔ１、Ｔ３およびＧ３４に関しても、全長を縮小するよう小さくすべきであり、従って、Ｔ１／Ｇ４５、Ｇ３４／Ｇ４５およびＴ３／Ｇ４５は小さいのが好ましい。例えば、Ｔ１／Ｇ４５を３．５以下とすべきであり、理想的には、その範囲は１．０〜３．５であってよいことを提案し、Ｇ３４／Ｇ４５を１．８以下とすべきであり、理想的には、その範囲は０．７〜１．８であってよいことを提案し、Ｔ３／Ｇ４５を２．８以下とすべきであり、理想的には、その範囲は０．５〜２．８であってよいことを提案する。
（５）Ｔａｌｌ／ＢＦＬ≦１．７
Ｔａｌｌは、光学撮像レンズセットにおける全てのレンズ素子の光軸に沿った全厚であり、その全長は、フィルタおよびその他部品を第５のレンズ素子と像面との間に配置するものとすると、Ｔａｌｌが低減可能である場合に縮小可能であり、よって、ＢＦＬを無制限に変更できない。従って、Ｔａｌｌ／ＢＦＬは小さいのが好ましい。例えば、１．７以下とすべきであり、理想的には、その範囲は１．２〜１．７であってよいことを提案する。
（６）Ｔ４／Ｔ２は、１．８以上であることが提案され、かつ、（Ｔ４＋Ｔ５）／Ｔ１は１．９以下であることが提案されることで、各レンズ素子は確実により望ましい構成を有する。理想的には、Ｔ４／Ｔ２の範囲は１．８〜３．５であってよいことが提案され、（Ｔ４＋Ｔ５）／Ｔ１の範囲は１．２〜１．９であってよいことが提案される。
（７）Ｇａａ／Ｔ２≧３．７
第３のレンズ素子、第４のレンズ素子および第５のレンズ素子と比較すると、第２のレンズ素子はより容易に縮小され、従って、Ｔ２は小さくされるものとし、かつ、Ｇａａ／Ｔ２は大きくされるものとする。例えば、Ｇａａ／Ｔ２は３．７以上であるのが好ましく、理想的には、その範囲は３．７〜８．０であってよいことを提案する。
【００５３】
本発明の光学撮像レンズセット１は、携帯型電子機器に適用可能である。図１６を参照する。図１６は、携帯型電子機器１００で使用される本発明の光学撮像レンズセット１の第１の好ましい例を示している。携帯型電子機器１００は、ケース１１０と、ケース１１０に装着された撮像モジュール１２０と、を備える。図１６では、一例として携帯電話機を示しているが、携帯型電子機器１００は、携帯電話機に限定されない。
【００５４】
図１６に示すように、撮像モジュール１２０は、上記のような光学撮像レンズセット１を備える。図１６では、前述の、光学撮像レンズセット１の第１の例を示している。さらに、携帯型電子機器１００は、光学撮像レンズセット１を取り付けるための鏡筒１３０と、鏡筒１３０を取り付けるためのモジュール収容ユニット１４０と、モジュール収容ユニット１４０を取り付けるための基板１７２と、光学撮像レンズセット１の像側３で基板１７２に配置される撮像センサ７０と、を収めている。光学撮像レンズセット１における撮像センサ７０は、電荷結合素子または相補型金属酸化膜半導体素子などの受光素子とすることができる。像面７１は、撮像センサ７０に形成される。
【００５５】
ここで用いる撮像センサ７０は、従来のチップ・スケール・パッケージ（ＣＳＰ：Ｃｈｉｐ  Ｓｃａｌｅ  Ｐａｃｋａｇｅ）製品ではなく、チップ・オン・ボード（ＣＯＢ：Ｃｈｉｐ  Ｏｎ  Ｂｏａｒｄ）パッケージ製品であり、従って、基板１７２に直接留め付けられており、光学撮像レンズセット１において撮像センサ７０の前面に保護ガラスを必要としないが、本発明はこれに限定されない。
【００５６】
特に留意されるべきことは、オプションのフィルタ６０を本例では設けているが、他の例では、オプションのフィルタ６０を省くことができるということである。ケース１１０、鏡筒１３０、および／またはモジュール収容ユニット１４０は、単一の要素とするか複数の要素で構成可能であるが、本発明はこれに限定されない。
【００５７】
屈折力を有する５つのレンズ素子１０、２０、３０、４０、５０の各々は、例示のようにして、２つの隣接するレンズ素子間に空隙を配して、鏡筒１３０内に取り付けられる。モジュール収容ユニット１４０は、レンズ素子ハウジング１４１と、このレンズ素子ハウジング１４１と撮像センサ７０との間に取り付けられる撮像センサハウジング１４６と、を含んでいる。ただし、他の例では、撮像センサハウジング１４６はオプションである。鏡筒１３０は、軸Ｉ‐Ｉ’に沿ってレンズ素子ハウジング１４１と同軸状に取り付けられ、鏡筒１３０はレンズ素子ハウジング１４１の内部に設けられる。
【００５８】
本発明の光学撮像レンズセット１は、４．５ｍｍほどに短縮され得るので、この理想的な長さによって、携帯型電子機器１００の寸法およびサイズの小型軽量化を可能にしながら、依然として優れた光学性能および像品質が可能である。このように、本発明の種々の例は、小型軽量化する製品設計の傾向および消費者需要に応えるだけではなく、使用原料の低減による経済的利益の要求に応えるものである。
【００５９】
さらに、第２の好ましい例での、携帯型電子機器２００における前述の光学撮像レンズセット１の別の応用について、図１７を参照する。
第２の好ましい例における携帯型電子機器２００と、第１の好ましい例における携帯型電子機器１００との主な違いは、レンズ素子ハウジング１４１が、第１の台座要素１４２と、第２の台座要素１４３と、コイル１４４と、磁性部品１４５と、を有することである。第１の台座要素１４２は、鏡筒１３０を取り付けるためのものであり、鏡筒１３０の外側に留め付けられて、軸Ｉ‐Ｉ’に沿って配置される。第２の台座要素１４３は、軸Ｉ‐Ｉ’に沿って配置されて、第１の台座要素１４２の外側を取り囲む。コイル１４４は、第１の台座要素１４２の外側と第２の台座要素１４３の内側との間に設けられる。磁性部品１４５は、コイル１４４の外側と第２の台座要素１４３の内側との間に配置される。
【００６０】
第１の台座要素１４２は、鏡筒１３０と、鏡筒１３０の内部に配置された光学撮像レンズセット１とを、軸Ｉ‐Ｉ’、すなわち、図１の光軸４に沿って動かすように引っ張ることが可能である。撮像センサハウジング１４６は、第２の台座要素１４３に留め付けられている。赤外線フィルタなどのフィルタ６０は、撮像センサハウジング１４６に取り付けられる。
第２の好ましい例における携帯型電子機器２００の他の細部は、第１の好ましい例における携帯型電子機器１００のものと同様であり、従って、それらについての詳述は繰り返さない。
【００６１】
本発明の教示を守りつつ、装置および方法の多数の変形ならびに変更を実施することができることは、当業者であれば容易に気づくことであろう。従って、上記開示は、添付の特許請求の範囲の限界および範囲によってのみ限定されるものと解釈されるべきである。
【図１】
0005926356.tif 000003
【図２】
0005926356.tif 000004
【図３】
0005926356.tif 000005
【図４】
0005926356.tif 000006
【図５】
0005926356.tif 000007
【図６】
0005926356.tif 000008
【図７】
0005926356.tif 000009
【図８】
0005926356.tif 000010
【図９】
0005926356.tif 000011
【図１０】
0005926356.tif 000012
【図１１】
0005926356.tif 000013
【図１２】
0005926356.tif 000014
【図１３】
0005926356.tif 000015
【図１４】
0005926356.tif 000016
【図１５】
0005926356.tif 000017
【図１６】
0005926356.tif 000018
【図１７】
0005926356.tif 000019
【図１８】
0005926356.tif 000020
【図１９】
0005926356.tif 000021
【図２０】
0005926356.tif 000022
【図２１】
0005926356.tif 000023
【図２２】
0005926356.tif 000024
【図２３】
0005926356.tif 000025
【図２４】
0005926356.tif 000026
【図２５】
0005926356.tif 000027
【図２６】
0005926356.tif 000028
【図２７】
0005926356.tif 000029
【図２８】
0005926356.tif 000030
【図２９】
0005926356.tif 000031
【図３０】
0005926356.tif 000032
【図３１】
0005926356.tif 000033
【図３２】
0005926356.tif 000034